(57)【要約】【課題】  １つの操作手段を用いて複数の機器を容易に操作することができる、機器操作システムを提供する。【解決手段】  機器操作システム１は、コントローラ３と、操作手段４と、操作信号受信部６とを備えている。コントローラ３は、複数の機器２に接続されている。コントローラ３は、複数の機器２を監視および制御する。操作手段４は、複数の機器２を遠隔操作する。操作信号受信部６は、複数の機器２の各々に設けられている。操作信号受信部６は、操作信号を受信する。操作信号は、操作手段４から送信される。操作手段４は、操作部１７を有している。操作部１７は、全体機器情報に基づいて、複数の機器２のうちから任意の機器２を選択して操作する。全体機器情報は、複数の機器２に関する機器情報のそれぞれを含む。コントローラ３は、操作信号に基づいて、機器２の運転を制御する。機器２は、操作部１７によって選択される。【選択図】      図１
2006345370.tif 000002
【特許請求の範囲】
【請求項１】
複数の機器（２）に接続され、前記複数の機器（２）を監視および制御するコントローラ（３）と、
前記複数の機器（２）を遠隔操作する操作手段（４）と、
前記複数の機器（２）の各々に設けられ、前記操作手段（４）から送信される操作信号を受信する操作信号受信部（６）と、
を備えており、
前記操作手段（４）は、前記複数の機器（２）に関する機器情報のそれぞれを含む全体機器情報に基づいて前記複数の機器（２）のうちから任意の機器（２）を選択して操作する操作部（１７）を有しており、
前記コントローラ（３）は、前記操作信号に基づいて、前記操作部（１７）によって選択された機器（２）の運転を制御する、
機器操作システム（１）。
【請求項２】
前記複数の機器（２）の各々に設けられ、前記全体機器情報を前記操作手段（４）へダウンロードする全体機器情報送信部（７）をさらに備えており、
前記コントローラ（３）は、前記全体機器情報を記憶する記憶部（９）を有しており、
前記操作手段（４）は、前記全体機器情報送信部（７）から送信される前記全体機器情報を受信する全体機器情報受信部（１４）をさらに有する、
請求項１に記載の機器操作システム（１）。
【請求項３】
前記操作手段（４）は、前記全体機器情報を記憶する全体機器情報記憶部（１８）をさらに有する、
請求項１または２に記載の機器操作システム（１）。
【請求項４】
前記操作手段（４）は、前記全体機器情報から不要な前記機器情報を削除する機器情報削除部（１９）をさらに有する、
請求項１から３のいずれかに記載の機器操作システム（１）。
【請求項５】
前記操作手段（４）は、前記全体機器情報に基づいて操作対象である前記機器に対応する操作対象機器情報を生成するとともに前記操作対象機器情報における機器情報の追加、削除および並び換えをする機器情報編集部（４９）をさらに有する、
請求項４に記載の機器操作システム（１）。
【請求項６】
前記操作対象機器情報を記憶する操作対象機器情報記憶部（５０）さらに備えている、
請求項５に記載の機器操作システム（１）。
【請求項７】
前記操作手段（４）は、前記操作対象機器情報から生成される機器選択画面を表示する表示部（１６）をさらに有する、
請求項５に記載の機器操作システム（１）。
【請求項８】
複数の機器（２）に接続され、前記複数の機器（２）を監視および制御するコントローラ（３１）と、
前記複数の機器（２）を遠隔操作する操作手段（３２）と、
前記複数の機器（２）の各々に設けられ、選択機器情報を前記操作手段（３２）へダウンロードする選択機器情報送信部（７）と、
前記複数の機器（２）の各々に設けられ、前記操作手段（３２）から送信される操作信号を受信する操作信号受信部（６）と、
を備えており、
前記コントローラ（３１）は、前記複数の機器（２）に関する機器情報のそれぞれを含む全体機器情報を記憶する記憶部（９）と、前記全体機器情報に含まれる前記機器情報を選択して前記選択機器情報を生成する選択機器情報生成部（３３）とを有しており、
前記操作手段（３２）は、前記選択機器情報を受信する選択機器情報受信部（１４）と、前記選択機器情報に基づいて前記複数の機器（２）のうちから任意の機器（２）を選択して操作する操作部（１７）とを有しており、
前記コントローラ（３１）は、前記操作信号に基づいて、前記操作部（１７）によって選択された機器（２）の運転を制御する、
機器操作システム（３０）。
【請求項９】
前記複数の機器（２）の各々に設けられ、前記複数の機器（２）の操作を要求するための操作要求情報を受信する操作要求情報受信部（６）をさらに備えており、
前記操作手段（３２）は、前記操作要求情報を送信する操作要求情報送信部（１３）をさらに有しており、
前記選択機器情報生成部（３３）は、前記操作要求情報を受信した前記機器（２）の位置に基づいて、前記全体機器情報から前記選択機器情報を生成する、
請求項８に記載の機器操作システム（３０）。
【請求項１０】
前記操作要求情報は、前記全体機器情報のうちから特定の前記機器情報を選択するための特定選択情報を含んでおり、
前記選択機器情報生成部（３３）は、前記操作要求情報を受信した前記機器（２）の位置および前記特定選択情報に基づいて、前記全体機器情報から前記選択機器情報を生成する、
請求項９に記載の機器操作システム（３０）。
【請求項１１】
前記操作要求情報は、前記操作手段（３２）を使用するユーザに付与されるユーザＩＤに関するユーザＩＤ情報を含む、
請求項９または１０に記載の機器操作システム（３０）。
【請求項１２】
前記選択機器情報生成部（３３）は、前記操作要求情報を受信した前記機器（２）の位置および前記ユーザＩＤ情報に基づいて、前記全体機器情報から前記選択機器情報を生成する、
請求項１１に記載の機器操作システム（３０）。
【請求項１３】
前記操作手段（３２）は、前記選択機器情報から生成される機器選択画面を表示する表示部（１６）をさらに有する、
請求項８から１２のいずれかに記載の機器操作システム（３０）。
【請求項１４】
前記機器（２）および前記操作手段（４、３２）は、赤外線通信によって通信可能に互いに接続されている、
請求項１から１３に記載の機器操作システム（１、３０）。
【請求項１５】
前記操作手段（４、３２）は、携帯可能である、
請求項１から１４のいずれかに記載の機器操作システム（１、３０）。
【請求項１６】
前記機器（２）および前記操作手段（４、３２）は、有線によって通信可能に互いに接続されている、
請求項１から１５のいずれかに記載の機器操作システム（１、３０）。
【請求項１７】
前記機器（２）は、空気調和機の室内機である、
請求項１から１６のいずれかに記載の機器操作システム（１、３０）。
【発明の詳細な説明】
【技術分野】
【０００１】
本発明は、機器操作システムに関する。
【背景技術】
【０００２】
従来より、リモコンなどの携帯可能な操作手段を用いて、空調機器などの機器の遠隔操作が行われている。リモコンは、通常、リモコンと通信している機器しか操作できない。そこで、１つのリモコンを用いて複数の機器のいずれか１つを選択して操作する機器操作方法が提案されている。
特許文献１に記載の機器操作方法では、複数の空調機器を集中制御する空調制御用コントローラとリモコンとの間で通信を行うことにより、複数の空調機器の遠隔操作が行われている。
【特許文献１】特開２００３−９２５６号公報
【発明の開示】
【発明が解決しようとする課題】
【０００３】
しかし、特許文献１に記載の機器操作方法では、リモコンによって空調機器の操作を行うときに、コントローラと通信できる距離までリモコンを移動させる必要があり、使い勝手がわるい。
本発明の課題は、１つの操作手段を用いて複数の機器を容易に操作することができる、機器操作システムを提供することにある。
【課題を解決するための手段】
【０００４】
第１発明の機器操作システムは、コントローラと、操作手段と、操作信号受信部とを備えている。コントローラは、複数の機器に接続されている。コントローラは、複数の機器を監視および制御する。操作手段は、複数の機器を遠隔操作する。操作信号受信部は、複数の機器の各々に設けられている。操作信号受信部は、操作信号を受信する。操作信号は、操作手段から送信される。操作手段は、操作部を有している。操作部は、全体機器情報に基づいて、複数の機器のうちから任意の機器を選択して操作する。全体機器情報は、複数の機器に関する機器情報のそれぞれを含む。コントローラは、操作信号に基づいて、機器の運転を制御する。機器は、操作部によって選択される。
【０００５】
ここでは、操作手段の操作部によって、複数の機器のうちから任意の機器が全体機器情報に基づいて選択される。操作信号は、操作手段から複数の機器のそれぞれに設けられた操作信号受信部へ送信される。コントローラは、操作信号に基づいて、操作部によって選択された機器の運転を制御する。これにより、操作信号を受信した機器だけでなく、他の場所の機器も、操作手段によって操作できるようになる。
【０００６】
第２発明の機器操作システムは、第１発明の機器操作システムであって、全体機器情報送信部をさらに備えている。全体機器情報送信部は、複数の機器の各々に設けられている。全体機器情報送信部は、全体機器情報を操作手段へダウンロードする。コントローラは、記憶部を有している。記憶部は、全体機器情報を記憶する。操作手段は、全体機器情報受信部をさらに有する。全体機器情報受信部は、全体機器情報を受信する。全体機器情報は、全体機器情報送信部から送信される。
ここでは、コントローラの記憶部に記憶された全体機器情報が、複数の機器の各々に設けられた全体機器情報送信部によって、操作手段へダウンロードされる。
【０００７】
第３発明の機器操作システムは、第１発明または第２発明の機器操作システムであって、操作手段は、全体機器情報記憶部をさらに有する。全体機器情報記憶部は、全体機器情報を記憶する。
ここでは、全体機器情報は、全体機器情報記憶部によって記憶されるので、機器情報の削除や編集が行われても、全体機器情報は保存される。
【０００８】
第４発明の機器操作システムは、第１発明から第３発明のいずれかの機器操作システムであって、操作手段は、機器情報削除部をさらに有する。機器情報削除部は、全体機器情報から不要な機器情報を削除する。
ここでは、機器情報削除部によって、全体機器情報から不要な機器情報が削除される。
【０００９】
第５発明の機器操作システムは、第４発明の機器操作システムであって、操作手段は、機器情報編集部をさらに有する。機器情報編集部は、全体機器情報に基づいて操作対象機器情報を生成する。操作対象機器情報は、操作対象である機器に対応する。それとともに、機器情報編集部は、操作対象機器情報における機器情報の追加、削除および並び換えをする。
ここでは、機器情報編集部によって、全体機器情報に基づいて操作対象機器情報を生成するとともに操作対象機機器情報における機器情報の追加、削除および並び換えをすることができる。
【００１０】
第６発明の機器操作システムは、第５発明の機器操作システムであって、操作対象機器情報記憶部をさらに備えている。操作対象機器情報記憶部は、操作対象機器情報を記憶する。
ここでは、操作対象機器情報は、全体機器情報とは別に、操作対象機器情報記憶部によって記憶される。これにより、操作対象機器情報における機器情報の削除や編集が行われても、編集後の最新の操作対象機器情報が保存される。
【００１１】
第７発明の機器操作システムは、第５発明の機器操作システムであって、操作手段は、表示部をさらに有する。表示部は、機器選択画面を表示する。機器選択画面は、操作対象機器情報から生成される。
ここでは、全体機器情報から生成される機器選択画面が、操作手段の表示部に表示される。
【００１２】
第８発明の機器操作システムは、コントローラと、操作手段と、選択機器情報送信部と、操作信号受信部とを備えている。コントローラは、複数の機器に接続されている。コントローラは、複数の機器を監視および制御する。操作手段は、複数の機器を遠隔操作する。選択機器情報送信部は、複数の機器の各々に設けられている。選択機器情報送信部は、選択機器情報を操作手段へダウンロードする。操作信号受信部は、複数の機器の各々に設けられている。操作信号受信部は、操作信号を受信する。操作信号は、操作手段から送信される。コントローラは、記憶部と、選択機器情報生成部とを有している。記憶部は、全体機器情報を記憶する。全体機器情報は、複数の機器に関する機器情報のそれぞれを含む。選択機器情報生成部は、全体機器情報に含まれる機器情報を選択して選択機器情報を生成する。操作手段は、選択機器情報受信部と、操作部とを有している。選択機器情報受信部は、選択機器情報を受信する。操作部は、選択機器情報に基づいて、複数の機器のうちから任意の機器を選択して操作する。コントローラは、操作信号に基づいて、機器の運転を制御する。機器は、操作部によって選択される。
【００１３】
ここでは、コントローラの選択機器情報生成部が、記憶部に記憶された全体機器情報に含まれる機器情報を選択して選択機器情報を生成する。選択機器情報は、複数の機器の各々に設けられた選択機器情報送信部によって、操作手段へダウンロードされる。そののち、操作手段の操作部によって、複数の機器のうちから任意の機器が選択機器情報に基づいて選択される。操作信号は、操作手段から複数の機器のそれぞれに設けられた操作信号受信部へ送信される。コントローラは、操作信号に基づいて、操作部によって選択された機器の運転を制御する。これにより、操作信号を受信した機器だけでなく、他の場所の機器も、操作手段によって操作できるようになる。
【００１４】
第９発明の機器操作システムは、第８発明の機器操作システムであって、操作要求情報受信部をさらに備えている。操作要求情報受信部は、複数の機器の各々に設けられている。操作要求情報受信部は、複数の機器の操作を要求するための操作要求情報を受信する。操作手段は、操作要求情報送信部をさらに有している。操作要求情報送信部は、操作要求情報を送信する。選択機器情報生成部は、操作要求情報を受信した機器の位置に基づいて、全体機器情報から選択機器情報を生成する。
ここでは、選択機器情報生成部は、操作要求情報を受信した機器の位置に基づいて、選択機器情報を生成する。
【００１５】
第１０発明の機器操作システムは、第９発明の機器操作システムであって、操作要求情報は、特定選択情報を含んでいる。特定選択情報は、全体機器情報のうちから特定の機器情報を選択するための情報である。選択機器情報生成部は、操作要求情報を受信した機器の位置および特定選択情報に基づいて、全体機器情報から選択機器情報を生成する。
ここでは、選択機器情報生成部は、機器の位置情報と特定選択情報に基づいて、選択機器情報を生成する。
【００１６】
第１１発明の機器操作システムは、第９発明または第１０発明の機器操作システムであって、操作要求情報は、ユーザＩＤに関するユーザＩＤ情報を含む。ユーザＩＤは、操作手段を使用するユーザに付与される。
ここでは、操作要求情報がユーザＩＤ情報を含むので、ユーザの権限に応じて、選択機器情報の送信が許可される。
【００１７】
第１２発明の機器操作システムは、第１１発明の機器操作システムであって、選択機器情報生成部は、操作要求情報を受信した機器の位置およびユーザＩＤ情報に基づいて、全体機器情報から選択機器情報を生成する。
ここでは、機器の位置情報とユーザＩＤ情報に基づいて、選択機器情報が生成される。
【００１８】
第１３発明の機器操作システムは、第８発明から第１２発明のいずれかの機器操作システムであって、操作手段は、表示部をさらに有する。表示部は、機器選択画面を表示する。機器選択画面は、選択機器情報から生成される。
ここでは、選択機器情報から生成される機器選択画面が、操作手段の表示部に表示される。
【００１９】
第１４発明の機器操作システムは、第１発明から第１３発明のいずれかの機器操作システムであって、機器および操作手段は、赤外線通信によって通信可能に互いに接続されている。
ここでは、機器と操作手段との間で赤外線通信が行われるので、外部に情報が漏れることがなく、セキュリティ面で安全である。
【００２０】
第１５発明の機器操作システムは、第１発明から第１４発明のいずれかの機器操作システムであって、操作手段は、携帯可能である。
ここでは、操作手段が携帯可能であるので、任意の場所へ移動して使用される。
【００２１】
第１６発明の機器操作システムは、第１発明から第１５発明のいずれかの機器操作システムであって、機器および操作手段は、有線によって通信可能に互いに接続されている。
ここでは、操作手段は、機器に有線接続されて使用される。
第１７発明の機器操作システムは、第１発明から第１６発明のいずれかに記載の機器操作システムであって、機器は、空気調和機の室内機である。
ここでは、機器操作システムは、空気調和機の室内機の操作のために用いられる。
【発明の効果】
【００２２】
第１発明によれば、操作信号を受信した機器だけでなく、他の場所の機器も操作することができるので、１つの操作手段を用いて複数の機器を容易に操作することができる。
第２発明によれば、操作手段は、複数の機器の各々に設けられた全体機器情報送信部を介して、全体機器情報を取得することができる。
第３発明によれば、機器情報の削除や編集が行われても、全体機器情報を保存することができる。
【００２３】
第４発明によれば、全体機器情報から不要な機器情報を削除することができる。
第５発明によれば、全体機器情報に基づいて操作対象機器情報を生成することができ、かつ、操作対象機器情報における機器情報の追加、削除および並び換えをすることができる。
第６発明によれば、操作対象機器情報における機器情報の削除や編集が行われても、編集後の最新の操作対象機器情報を保存することができる。
【００２４】
第７発明によれば、ユーザは操作対象機器情報から生成される機器選択画面を操作手段の表示部によって見ることができる。
第８発明によれば、操作信号を受信した機器だけでなく、他の場所の機器も操作することができるので、１つの操作手段を用いて複数の機器を容易に操作することができる。また、選択機器情報によって操作可能な機器が限定されるので、操作が容易である。しかも、操作手段は、複数の機器の各々に設けられた選択機器情報送信部を介して、選択機器情報を取得することができる。
【００２５】
第９発明によれば、操作要求情報を受信した機器の位置に基づいて、選択機器情報を生成することができる。
第１０発明によれば、機器の位置情報と特定選択情報に基づいて、選択機器情報を生成することができる。
第１１発明によれば、ユーザの権限に応じて、選択機器情報の送信を許可することができる。
【００２６】
第１２発明によれば、機器の位置情報とユーザＩＤ情報に基づいて、選択機器情報を生成することができる。
第１３発明によれば、ユーザは選択機器情報から生成される機器選択画面を操作手段の表示部によって見ることができる。
第１４発明によれば、外部に情報が漏れることがなく、セキュリティ面で安全である。
【００２７】
第１５発明によれば、操作手段を任意の場所へ移動して使用することができる。
第１６発明によれば、操作手段を機器に有線接続して使用することができる。
第１７発明によれば、機器操作システムを空気調和機の室内機の操作のために用いることができる。
【発明を実施するための最良の形態】
【００２８】
〔第１実施形態〕
つぎに、本発明の機器操作システムの第１実施形態に係る空調機操作システム１について、図面を参照しながら詳細に説明する。
＜空調機操作システム１の構成＞
図１〜図２に示されるように、空調機操作システム１は、空気調和機の室内機２を操作するシステムであり、主要な構成として、複数の室内機２を制御するための空調システム監視制御用コントローラ（以下、コントローラという）３と、携帯可能な操作手段である携帯電話４と、受信部６と、送信部７とを備えている。受信部６および送信部７は、複数の室内機２のそれぞれに含まれている。複数の室内機２は、携帯電話４によって、それぞれ操作される。
複数の室内機２（室内機番号：ＩＤ−１、ＩＤ−２、ＩＤ−３、・・・）は、それぞれ複数の居室ＳＡ、ＳＢ、・・・に配置されている。具体的には、室内機２は、天井裏の空間ＣＺに埋め込まれ、複数の居室ＳＡ、ＳＢ、・・・のそれぞれの上方に配置されている。複数の室内機２は、イーサネットなどの通信網Ｌ１を介して、コントローラ３に通信可能に接続されている。また、複数の室内機２は、冷媒配管Ｌ２を介して、室外機Ａに接続されている。
【００２９】
＜室内機２の構成＞
図２に示されるように、複数の室内機２は、それぞれ同一の構成を有しており、空気調和に関する機能を有する本体ユニットＢと、通信ユニット５とを有している。
【００３０】
通信ユニット５は、受信部６と、送信部７と、インターフェース８とを備えている。
受信部６は、携帯電話４から送信される操作要求に関する操作要求情報を受信する。また、受信部６は、携帯電話４から送信される操作信号を受信する。すなわち、受信部６は、操作要求情報受信部としての機能、および操作信号受信部としての機能を有している。
操作要求情報は、携帯電話４を使用するユーザに付与されるユーザＩＤに関するユーザＩＤ情報を含んでいる。
【００３１】
送信部７は、受信部６が操作要求情報を受信したときに、室内機２を操作するための全体室内機情報を携帯電話４へ送信する。
全体室内機情報およびその他種々の情報は、通信網Ｌ１を介して、コントローラ３から、操作要求情報を受信した室内機２へ送信されてくる。
制御部２９は、受信部６、送信部７、およびインターフェース８を制御する。
【００３２】
室内機２の受信部６および送信部７は、携帯電話４の送信部１３および受信部１４（図４参照）との間で赤外線通信を行うことができる構成になっている。すなわち、受信部６および受信部１４は、赤外線受光部からなり、送信部７および送信部１３は、赤外線発信部からなる。室内機２と携帯電話４との間の通信手段として、赤外線通信が採用されているので、外部に情報が漏れることがなく、セキュリティ面で安全である。
【００３３】
インターフェース８は、室内機２とコントローラ３とのあいだの信号の送受信ためのインターフェースである。インターフェース８は、通信網Ｌ１を介してコントローラ３のインターフェース１２に接続されている。
室内機２からコントローラ３へ送信される情報は、操作要求情報と、その操作要求情報を受信した室内機２の位置情報とを含む。位置情報は、通信ユニット５の内部のメモリ、たとえばインターフェース１２の内蔵メモリなどに記憶されている。位置情報は、室内機２のそれぞれの固有の室内機番号（ＩＤ−１、ＩＤ−２、ＩＤ−３、・・・）などからなる。
【００３４】
＜コントローラ３の構成＞
コントローラ３は、複数の室内機２に接続され、室内機２を監視および制御する。
図３に示されるように、コントローラ３は、室内機情報データベース９と、制御部１０と、送信許可部１１と、インターフェース１２とを有している。
室内機情報データベース９は、全体室内機情報ＩＦ１を格納している。全体室内機情報は、複数の室内機２（ＩＤ−１、ＩＤ−２、ＩＤ−３、・・・）に関する室内機情報のそれぞれを含む情報である。室内機情報には、それぞれの室内機２の位置情報が含まれる。また、室内機情報には、携帯電話４が室内機２を操作するために必要な操作用ソフトウェアも含まれる。
【００３５】
これらの全体室内機情報、は、全体室内機情報を取得した携帯電話４の表示部１６（図４および図６参照）に表示される。
制御部１０は、複数の室内機２の運転を制御および監視するＣＰＵである。また、制御部１０は、コントローラ３の内部の各構成要素（室内機情報データベース９、送信許可部１１、およびインターフェース１２）の動作を制御する。
送信許可部１１は、操作要求情報に含まれるユーザＩＤ情報に対応する全体室内機情報の送信を許可する。
インターフェース１２は、通信網Ｌ１を介して室内機２のインターフェース８に接続されている。
【００３６】
＜携帯電話４の構成＞
図４に示されるように、携帯電話４は、通常の通話機能およびメール送受信機能等の基本機能の他に、複数の室内機２を操作するためのリモコンとしての機能を有するものである。携帯電話４は、送信部１３と、受信部１４と、制御部１５と、表示部１６と、操作部１７と、記憶部１８と、室内機情報削除部１９と、室内機情報編集部４９と、操作対象室内機情報記憶部５０とを有している。
【００３７】
送信部１３は、操作要求情報を室内機２へ送信する。また、送信部１３は、室内機２を操作するための操作信号を送信する。
受信部１４は、室内機２の送信部７から送信される全体室内機情報ＩＦ１を受信する。さらに、受信部１４は、操作状況その他の情報も送信部７から受信する。
制御部１５は、携帯電話４の内部の各構成要素（送信部１３、受信部１４、表示部１６、操作部１７、記憶部１８、および室内機情報削除部１９）の動作を制御する。
【００３８】
表示部１６は、操作対象室内機情報記憶部５０に記憶された操作対象室内機情報を表示する（図６参照）。また、表示部１６は、室内機２を遠隔操作するときには、室内機２を操作するときの種々の情報（室内機２の運転・停止、暖房・冷房、設定温度、風量など）によって構成された操作パネルを表示する。
操作部１７は、携帯電話４の既存のボタンからなる。操作部１７は、室内機２の遠隔操作やユーザＩＤ情報の入力に用いられる。操作部１７によって室内機２の遠隔操作やユーザＩＤ情報の入力を行う場合には、表示部１６に遠隔操作用画面やユーザＩＤ入力用画面等が表示される。
【００３９】
記憶部１８は、室内機２の送信部７から送信される全体室内機情報ＩＦ１を記憶する。全体室内機情報ＩＦ１は、携帯電話４によって室内機２を操作する前に事前に記憶される。
室内機情報削除部１９は、記憶部１８に記憶された全体室内機情報ＩＦ１のうち不要な室内機情報を削除する。この際、全体室内機情報ＩＦ１から削除する不要な室内機情報が操作対象室内機情報記憶部５０に記憶された操作対象室内機情報にも含まれている場合には、室内機情報削除部１９は、操作対象室内機情報記憶部５０から不要な室内機情報を同時に削除する。
【００４０】
操作対象室内機情報記憶部５０は、室内機情報編集部４９によって生成された操作対象室内機情報を記憶する。
室内機情報編集部４９は、全体室内機情報に基づいて操作対象である室内機２に対応する操作対象室内機情報を生成する。しかも、室内機情報編集部４９は、操作対象室内機情報記憶部５０に記憶された操作対象室内機情報における室内機情報の追加、削除および並び換えをする。室内機情報を追加する場合には、記憶部１８に記憶された全体室内機情報ＩＦ１に含まれる室内機情報が、操作対象室内機情報へ追加される。室内機情報を削除または並び換えする場合には、操作対象室内機情報記憶部５０に記憶された操作対象室内機情報が、削除または並び換えられる。
【００４１】
＜全体室内機情報のダウンロード方法＞
つぎに、本実施形態の全体室内機情報の携帯電話４へのダウンロードの手順を、図５のフローチャートを参照しながら説明する。ここで、携帯電話４のユーザが操作部１７を操作することにより、操作要求情報の送信が行われるものとする。
図５に示されるように、ステップＳ１において、ユーザが携帯電話４の操作部１７を操作することによって、操作要求情報は、まず、携帯電話４の送信部１３から携帯電話４に最も近い室内機２（図１では、空調機番号ＩＤ−２の室内機２）の受信部６へ送信される。そののち、操作要求情報およびその操作要求情報を受信した室内機２の位置情報は、通信網Ｌ１を介して、コントローラ３に受信される。
ついで、ステップＳ２において、コントローラ３の制御部１０は、操作要求情報に含まれるユーザＩＤ情報が全体室内機情報の送信許可を受けられるか否かを判別するように、送信許可部１１を制御する。送信許可が受けられる場合には、処理はステップＳ３へ進み、一方、送信許可が受けられない場合には、処理はステップＳ１へ戻る。
そののち、ステップＳ３において、全体室内機情報は、操作要求情報を受信した室内機２（図１では、空調機番号ＩＤ−２の室内機２）を介して、携帯電話４へ送信される。さらに詳しく言えば、室内機２の制御部２９は、操作要求情報を受信した室内機２のインターフェース８とコントローラのインターフェース１２との間の通信を確立した状態で、全体室内機情報を携帯電話４へ送信するように、室内機２の送信部７を制御する。
【００４２】
＜携帯電話４による室内機２の操作＞
携帯電話４が全体室内機情報を取得したとき、まず、全体室内機情報から不要な室内機情報を削除していない操作対象室内機情報が表示部１６に表示される。すなわち、携帯電話４の表示部１６には、図６に示されるように、全ての室内機２のそれぞれの室内機番号ＩＤ−１、ＩＤ−２、ＩＤ−３、・・・を含む室内機情報２１と、それらの室内機２が所属する部屋の名称ＳＡ、ＳＢ、・・・を含む部屋名称情報２２とからなる空調機リスト２０が表示される。これにより、携帯電話４のユーザは、携帯電話４によって今から操作される室内機２（例えば、図１における室内機番号ＩＤ−２の室内機２）およびその他の室内機２についての情報を知ることができる。携帯電話４の操作部１７を操作することによって、全体室内機情報に基づいて、複数の室内機２のうちから任意の室内機２（たとえば、室内機番号ＩＤ−２の室内機２）が選択して操作される。選択された室内機２の室内機番号および部屋名称は、発光部分２３によって他の室内機２と区別される。
【００４３】
また、図６の表示部１６に表示される空調機リスト２０は、全体室内機情報に含まれる全ての室内機２に関する室内機情報が表示されているが、本実施形態の携帯電話４では、図７に示されるように、不要な室内機情報を削除した操作対象室内機情報からなる空調機リスト２０が作成される。ここでは、ユーザは、携帯電話４の操作部１７を操作することにより、室内機情報削除部１９を用いて、全体室内機情報から不要な室内機情報を削除することで、操作対象室内機情報からも不要な室内機情報を削除することができる。
さらに、例えば、ユーザが席替えなどで操作する室内機２が変更した場合にも、室内機情報編集部４９によって、操作対象室内機情報記憶部５０に記憶された操作対象室内機情報における室内機情報の追加、削除および並び換えをすることによって、空調機リスト２０を編集することができる。そのため、再度、室内機情報を室内機２よりダウンロードする必要がない。
【００４４】
＜第１実施形態の特徴＞
（１）
第１実施形態の空調機操作システム１では、全ての室内機２に関する室内機情報のそれぞれを含む全体室内機情報ＩＦ１が携帯電話４の記憶部１８に記憶されている。したがって、全体室内機情報ＩＦ１を用いることにより、携帯電話４と受信した室内機２だけでなく、その他の場所に設置された室内機２も、携帯電話４によって操作できるようになる。したがって、１台の携帯電話４を用いて、複数の室内機２を容易に操作することができる。
（２）
第１実施形態の空調機操作システム１では、コントローラ３に記憶された全体室内機情報ＩＦ１が室内機２を介してダウンロードされるので、携帯電話４を用いて室内機２を操作するときに、全体室内機情報ＩＦ１は、携帯電話４へ事前にダウンロードされる。
（３）
第１実施形態の空調機操作システム１では、携帯電話４が記憶部１８を備えているので、室内機情報の削除や編集が行われても、全体室内機情報ＩＦ１は、携帯電話４の記憶部１８に保存される。
（４）
第１実施形態の空調機操作システム１では、携帯電話４が室内機情報削除部１９を備えているので、全体室内機情報ＩＦ１から不要な室内機情報を削除することができる。
（５）
第１実施形態の空調機操作システム１では、操作対象室内機情報記憶部５０をさらに備えているので、操作対象室内機情報は、全体室内機情報とは別に、操作対象室内機情報記憶部５０に記憶される。これにより、操作対象室内機情報における室内機情報の削除や編集が行われても、編集後の最新の操作対象室内機情報が保存される。
（６）
第１実施形態の空調機操作システム１では、携帯電話４が室内機情報編集部４９を備えているので、全体室内機情報に基づいて操作対象である室内機２に対応する操作対象室内機情報を生成することができる。しかも、操作者が席替えなどで操作する室内機２が変更した場合にも、室内機情報編集部４９が操作対象室内機情報記憶部５０に記憶された操作対象室内機情報における室内機情報の追加、削除および並び換えをすることによって、空調機リスト２０を編集することができる。そのため、再度、室内機情報を室内機２よりダウンロードする必要がない。
【００４５】
また、室内機情報編集部４９を用いることによって、室内機２の使用頻度等に応じて、最適な空調機リスト２０を任意に編集することができる。
（７）
第１実施形態の空調機操作システム１では、携帯電話４が表示部１６を有しているので、操作対象室内機情報から生成される室内機２を選択するための画面が、表示部１６に表示される。
（８）
第１実施形態の空調機操作システム１では、室内機２と携帯電話４との間の通信手段として、赤外線通信が採用されているので、外部に情報が漏れることがなく、セキュリティ面で安全である。
また、複数の室内機２のうちのいずれか１つと携帯電話４とが赤外線通信することによって、建物内部の複数の室内機２から１つの室内機２を特定するので、一般的なＧＰＳではなし得ない高精度で室内機２の位置を検出することができる。
（９）
第１実施形態では、操作手段として、携帯電話４などの携帯可能な操作手段を採用しているので、ユーザは、携帯電話４を任意の場所へ移動して全体室内機情報ＩＦ１の取得および室内機２の操作を行うことができる。
【００４６】
＜第１実施形態の変形例＞
（Ａ）
第１実施形態の空調機操作システム１では、室内機２と携帯電話４との間の通信手段として、赤外線通信が採用されているが、本発明はこれに限定されるものではなく、他の無線接続、例えばブルートゥースなどによる無線接続を採用しても、第１実施形態の空調機操作システム１と同様に全体室内機情報ＩＦ１の携帯電話４へのダウンロードを行うことができる。
（Ｂ）
また、第１実施形態の空調機操作システム１では、室内機２と携帯電話４との間の通信手段として、赤外線通信などの無線接続が採用されているが、本発明はこれに限定されるものではなく、操作手段を有線によって室内機２に接続してもよい。この場合、リモコンなどの操作手段を複数の室内機２のいずれか１つに有線によって通信可能に接続し、そののち、室内機２からリモコンへ全体室内機情報ＩＦ１をダウンロードすることができる。したがって、全体室内機情報ＩＦ１に基づいて、複数の室内機２の操作を行うことができる。
（Ｃ）
また、第１実施形態の空調機操作システム１では、室内機２から携帯電話４へ複数の室内機２の操作を行うための全体室内機情報ＩＦ１をダウンロードしているが、最寄りの室内機２を操作するための操作パネルを選択できるようにしてもよい。すなわち、最寄りの室内機２を操作する場合には、操作する最寄りの室内機２から室内機ＩＤ（例えば、室内機２の機種番号）のみを受け取り、携帯電話４側が室内機ＩＤに応じた操作パネルに関する情報を予めダウンロードしておいた全体室内機情報ＩＦ１から選択し、携帯電話４の表示部１６に最寄りの室内機２を操作するための操作パネルを表示するようにしてもよい。
【００４７】
〔第２実施形態〕
つぎに、本発明の機器操作システムの第２実施形態に係る空調機操作システム３０について、図面を参照しながら詳細に説明する。第２実施形態に係る空調機操作システム３０は、図８に示されるように、コントローラ３１において全体室内機情報ＩＦ１に含まれる室内機情報を選択して選択室内機情報ＩＦ２を生成し、選択室内機情報ＩＦ２を携帯電話３２へ送信する点で、第１実施形態と異なっている。
＜空調機操作システム３０の構成＞
図８に示されるように、空調機操作システム３０は、空気調和機の室内機２を操作するシステムであり、主要な構成として、複数の室内機２を制御するための空調システム監視制御用コントローラ（以下、コントローラという）３１と、携帯可能な操作手段である携帯電話３２と、受信部６（図２参照）と、送信部７（図２参照）とを備えている。図２に示されるように、受信部６および送信部７は、複数の室内機２のそれぞれに含まれている。複数の室内機２は、携帯電話３２によって、それぞれ操作される。
複数の室内機２（室内機番号：ＩＤ−１、ＩＤ−２、ＩＤ−３、・・・）は、第１実施形態の室内機２（図２参照）と同様の構成を有しており、それぞれ複数の居室ＳＡ、ＳＢ、・・・に配置されている。具体的には、室内機２は、天井裏の空間ＣＺに埋め込まれ、複数の居室ＳＡ、ＳＢ、・・・のそれぞれの上方に配置されている。複数の室内機２は、イーサネットなどの通信網Ｌ１を介して、コントローラ３１に通信可能に接続されている。また、複数の室内機２は、冷媒配管Ｌ２を介して、室外機Ａに接続されている。
【００４８】
＜室内機２の構成＞
複数の室内機２は、図２に示されるように、それぞれ同一の構成を有しており、空気調和に関する機能を有する本体ユニットＢと、通信ユニット５とを有している。
通信ユニット５は、受信部６と、送信部７と、インターフェース８とを備えている。
受信部６は、携帯電話３２から送信される操作要求に関する操作要求情報を受信する。また、受信部６は、携帯電話３２から送信される操作信号を受信する。すなわち、受信部６は、操作要求情報受信部としての機能、および操作信号受信部としての機能を有している。
【００４９】
操作要求情報は、携帯電話３２を使用するユーザに付与されるユーザＩＤに関するユーザＩＤ情報を含んでいる。
送信部７は、受信部６が操作要求情報を受信したときに、室内機２を操作するための選択室内機情報を携帯電話３２へ送信する。
選択室内機情報およびその他種々の情報は、通信網Ｌ１を介して、コントローラ３１から、操作要求情報を受信した室内機２へ送信されてくる。
【００５０】
制御部２９は、受信部６、送信部７、およびインターフェース８を制御する。
室内機２の受信部６および送信部７は、携帯電話３２の送信部１３および受信部１４（図１０参照）との間で赤外線通信を行うことができる構成になっている。すなわち、受信部６および受信部１４は、赤外線受光部からなり、送信部７および送信部１３は、赤外線発信部からなる。室内機２と携帯電話３２との間の通信手段として、赤外線通信が採用されているので、外部に情報が漏れることがなく、セキュリティ面で安全である。
インターフェース８は、室内機２とコントローラ３１とのあいだの信号の送受信ためのインターフェースである。インターフェース８は、通信網Ｌ１を介してコントローラ３１のインターフェース１２に接続されている。
室内機２からコントローラ３１へ送信される情報は、操作要求情報と、その操作要求情報を受信した室内機２の位置情報とを含む。位置情報は、通信ユニット５の内部のメモリ、たとえばインターフェース１２の内蔵メモリなどに記憶されている。位置情報は、室内機２のそれぞれの固有の室内機番号（ＩＤ−１、ＩＤ−２、ＩＤ−３、・・・）などからなる。
【００５１】
＜コントローラ３１の構成＞
コントローラ３１は、複数の室内機２に接続され、室内機２を監視および制御する。
【００５２】
図９に示されるように、コントローラ３１は、室内機情報データベース９と、制御部１０と、送信許可部１１と、インターフェース１２と、選択室内機情報生成部３３とを有している。
室内機情報データベース９は、全体室内機情報ＩＦ１を格納している。全体室内機情報は、複数の室内機２（ＩＤ−１、ＩＤ−２、ＩＤ−３、・・・）に関する室内機情報のそれぞれを含む情報である。室内機情報には、それぞれの室内機２の位置情報が含まれる。また、室内機情報には、携帯電話３２が室内機２を操作するために必要な操作用ソフトウェアも含まれる。
【００５３】
制御部１０は、複数の室内機２の運転を制御および監視するＣＰＵである。また、制御部１０は、コントローラ３１の内部の各構成要素（室内機情報データベース９、送信許可部１１、インターフェース１２、および選択室内機情報生成部３３）の動作を制御する。
送信許可部１１は、操作要求情報に含まれるユーザＩＤ情報に基づいて、選択室内機情報の送信を許可する。
インターフェース１２は、通信網Ｌ１を介して室内機２のインターフェース８に接続されている。
選択室内機情報生成部３３は、全体室内機情報ＩＦ１に含まれる室内機情報を選択して選択室内機情報ＩＦ２を生成する。
【００５４】
＜携帯電話３２の構成＞
図１０に示されるように、携帯電話３２は、通常の通話機能およびメール送受信機能等の基本機能の他に、複数の室内機２を操作するためのリモコンとしての機能を有するものである。携帯電話３２は、送信部１３と、受信部１４と、制御部１５と、表示部１６と、操作部１７と、記憶部３４とを有している。
【００５５】
送信部１３は、操作要求情報を室内機２へ送信する。また、送信部１３は、室内機２を操作するための操作信号を送信する。
受信部１４は、室内機２の送信部７から送信される選択室内機情報ＩＦ２を受信する。また、受信部１４は、操作状況その他の情報も送信部７から受信する。
制御部１５は、携帯電話３２の内部の各構成要素（送信部１３、受信部１４、表示部１６、操作部１７、および記憶部３４）の動作を制御する。
【００５６】
表示部１６は、室内機２の送信部７から送信される選択室内機情報ＩＦ２を表示する（図１３参照）。また、表示部１６は、室内機２を遠隔操作するときには、室内機２を操作するときの種々の情報（室内機２の運転・停止、暖房・冷房、設定温度、風量など）を表示する。
操作部１７は、携帯電話３２の既存のボタンからなる。操作部１７は、室内機２の遠隔操作やユーザＩＤ情報の入力に用いられる。操作部１７によって室内機２の遠隔操作やユーザＩＤ情報の入力を行う場合には、表示部１６に遠隔操作用画面やユーザＩＤ入力用画面等が表示される。
記憶部３４は、室内機２の送信部７から送信される選択室内機情報ＩＦ２を記憶する。選択室内機情報ＩＦ２は、携帯電話３２によって室内機２を操作する際に、操作要求情報を携帯電話４から最も近い室内機２に送信したときに、コントローラ３１から室内機２を介して取得することができる。
【００５７】
＜選択室内機情報のダウンロード方法＞
つぎに、本実施形態の選択室内機情報の携帯電話３２へのダウンロードの手順を、図１１のフローチャートを参照しながら説明する。ここで、携帯電話３２のユーザが操作部１７を操作することにより、操作要求情報の送信が行われるものとする。
【００５８】
図１１に示されるように、ステップＳ２１において、ユーザが携帯電話３２の操作部１７を操作することによって、操作要求情報は、まず、携帯電話３２の送信部１３から携帯電話３２に最も近い室内機２（図８では、空調機番号ＩＤ−２の室内機２）の受信部６へ送信される。
操作要求情報は、特定選択情報およびユーザＩＤ情報を含んでいる。特定選択情報は、図１２に示されるように、携帯電話３２の表示部１６に表示される特定選択情報入力用リスト３７の選択肢３８から、ユーザが希望する室内機情報の種別を選択することにより生成される。すなわち、特定選択情報は、空調機リストの種別や表示優先順位などを含む情報である。図１２において、特定選択情報入力用リスト３７の選択肢３８のうちから選択された１つは、発光部分４０によって他の選択肢と区別される。図１２の表示部１６では、選択肢３８のうちから「居室内の室内機」が選択されている。また、他の選択肢３８には、居室の部屋名称を選択できる窓部分３９がある。
【００５９】
操作要求情報、およびその操作要求情報を受信した室内機２の位置情報は、通信網Ｌ１を介して、コントローラ３１に受信される。
ついで、ステップＳ２２において、コントローラ３１の制御部１０は、操作要求情報に含まれるユーザＩＤ情報が選択室内機情報ＩＦ２の送信許可を受けられるか否かを判別するように、送信許可部１１を制御する。送信許可が受けられる場合には、処理はステップＳ２３へ進み、一方、送信許可が受けられない場合には、処理はステップＳ２１へ戻る。
【００６０】
ついで、ステップＳ２３において、制御部１０は、操作要求情報を受信した室内機２の位置情報、および操作要求情報に含まれる特定選択情報ならびにユーザＩＤ情報に基づいて、全体室内機情報ＩＦ１に含まれる室内機情報を選択して選択室内機情報ＩＦ２を生成するように、選択室内機情報生成部３３を制御する。
例えば、操作要求情報を受信した室内機２の位置情報が図８に示されるように室内機番号ＩＤ−２であり、特定選択情報が図１２に示されるように「居室内の室内機」の場合、室内機番号ＩＤ−２の室内機２が存在する居室、すなわち、居室ＳＡにある室内機２（室内機番号ＩＤ１、ＩＤ−２）についての選択室内機情報ＩＦ２が生成される。それとともに、ユーザＩＤ情報からも、ユーザＩＤ情報を取得したユーザが利用が許される居室またはフロアについての室内機情報によって選択されるように、選択室内機情報ＩＦ２が生成される。
そののち、ステップＳ２４において、選択室内機情報ＩＦ２は、操作要求情報を受信した室内機２（図８では、空調機番号ＩＤ−２の室内機２）を介して、携帯電話３２へ送信される。さらに詳しく言えば、室内機２の制御部２９は、操作要求情報を受信した室内機２のインターフェース８とコントローラのインターフェース１２との間の通信を確立した状態で、選択室内機情報ＩＦ２を携帯電話３２へ送信するように、室内機２の送信部７を制御する。
【００６１】
＜携帯電話３２による室内機２の操作＞
携帯電話３２が選択室内機情報ＩＦ２を取得すれば、携帯電話３２の表示部１６には、図１３に示されるように、複数の室内機２のうち、特定選択情報である「居室内の室内機」に対応する携帯電話３２が存在する居室ＳＡの室内機２について、室内機番号ＩＤ−１、ＩＤ−２を含む室内機情報４２と、それらの室内機２が所属する部屋の名称ＳＡを含む部屋名称情報４３とからなる空調機リスト４１が表示される。これにより、携帯電話３２のユーザは、携帯電話３２によって今から操作される室内機２（例えば、図８における室内機番号ＩＤ−２の室内機２）およびその他の室内機２についての情報を知ることができる。携帯電話３２の操作部１７を操作することによって、選択室内機情報に基づいて、複数の室内機２のうちから任意の室内機２（たとえば、室内機番号ＩＤ−２の室内機２）が選択して操作される。選択された室内機２の室内機番号および部屋名称は、発光部分４４によって他の室内機２と区別される。
【００６２】
＜第２実施形態の特徴＞
（１）
第２実施形態の空調機操作システム３０では、全ての室内機２に関する室内機情報のそれぞれを含む全体室内機情報ＩＦ１から選択して生成された選択室内機情報ＩＦ２が携帯電話３２の記憶部３４に記憶されている。したがって、選択室内機情報ＩＦ２を用いることにより、携帯電話３２と受信した室内機２だけでなく、その他の場所に設置された室内機２も、携帯電話３２によって操作できるようになる。したがって、１台の携帯電話３２を用いて、複数の室内機２を容易に操作することができる。
しかも、全体室内機情報ＩＦ１に含まれる室内機情報を選択することによって選択室内機情報ＩＦ２が生成されているので、操作可能な室内機２が限定されるので、室内機２の操作が容易になる。
（２）
第２実施形態の空調機操作システム３０では、コントローラ３１に記憶された選択室内機情報ＩＦ２が室内機２を介してダウンロードされるので、携帯電話３２を用いて室内機２を操作するときに、その都度、選択室内機情報ＩＦ２は、携帯電話３２へ事前にダウンロードされる。
（３）
第２実施形態の空調機操作システム３０では、携帯電話３２が表示部１６を有しているので、選択室内機情報ＩＦ２から生成される室内機２を選択するための画面が、表示部１６に表示される。
（４）
第２実施形態の空調機操作システム３０では、室内機２と携帯電話３２との間の通信手段として、赤外線通信が採用されているので、外部に情報が漏れることがなく、セキュリティ面で安全である。
また、複数の室内機２のうちのいずれか１つと携帯電話３２とが赤外線通信することによって、建物内部の複数の室内機２から１つの室内機２を特定するので、一般的なＧＰＳではなし得ない高精度で室内機２の位置を検出することができる。
（５）
第２実施形態では、操作手段として、携帯電話３２などの携帯可能な操作手段を採用しているので、ユーザは、携帯電話３２を任意の場所へ移動して選択室内機情報ＩＦ２の取得および室内機２の操作を行うことができる。
【００６３】
＜第２実施形態の変形例＞
（Ａ）
第２実施形態の空調機操作システム３０では、携帯電話３２を用いて室内機２を操作するときに、その都度、選択室内機情報ＩＦ２は、携帯電話３２へ事前にダウンロードされる。しかし、本発明は、これに限定されるものではない。以前に取得した選択室内機情報ＩＦ２がユーザの希望に合ったものであれば、その選択室内機情報ＩＦ２を携帯電話３２の記憶部３４に記憶した状態を維持して、次回の室内機２の操作のときに用いてもよい。
（Ｂ）
第２実施形態の空調機操作システム３０では、選択室内機情報生成部３３が、操作要求情報を受信した室内機２の位置情報、および操作要求情報に含まれる特定選択情報ならびにユーザＩＤ情報に基づいて、全体室内機情報ＩＦ１に含まれる室内機情報を選択して選択室内機情報ＩＦ２を生成しているが、本発明はこれに限定されるものではない。
【００６４】
したがって、選択室内機情報生成部３３は、操作要求情報を受信した室内機２の位置情報のみに基づいて、全体室内機情報ＩＦ１に含まれる室内機情報を選択して選択室内機情報ＩＦ２を生成してもよい。また、選択室内機情報生成部３３は、操作要求情報を受信した室内機２の位置情報と特定選択情報との組合せに基づいて、全体室内機情報ＩＦ１に含まれる室内機情報を選択して選択室内機情報ＩＦ２を生成してもよい。さらに、選択室内機情報生成部３３は、操作要求情報を受信した室内機２の位置情報とユーザＩＤ情報との組合せに基づいて、全体室内機情報ＩＦ１に含まれる室内機情報を選択して選択室内機情報ＩＦ２を生成してもよい。
【００６５】
なお、選択室内機情報生成部３３は、特定選択情報またはユーザＩＤ情報のいずれか一方のみに基づいて、全体室内機情報ＩＦ１に含まれる室内機情報を選択して選択室内機情報ＩＦ２を生成してもよい。
（Ｃ）
第２実施形態の空調機操作システム３０では、室内機２と携帯電話３２との間の通信手段として、赤外線通信が採用されているが、本発明はこれに限定されるものではなく、他の無線接続、例えばブルートゥースなどによる無線接続を採用しても、第２実施形態の空調機操作システム３０と同様に選択室内機情報ＩＦ２の携帯電話３２へのダウンロードを行うことができる。
（Ｄ）
また、第２実施形態の空調機操作システム３０では、室内機２と携帯電話３２との間の通信手段として、赤外線通信などの無線接続が採用されているが、本発明はこれに限定されるものではなく、操作手段を有線によって室内機２に接続してもよい。この場合、リモコンなどの操作手段を複数の室内機２のいずれか１つに有線によって通信可能に接続し、そののち、室内機２からリモコンへ選択室内機情報ＩＦ２をダウンロードすることができる。したがって、選択室内機情報ＩＦ２に基づいて、複数の室内機２の操作を行うことができる。
【産業上の利用可能性】
【００６６】
本発明の機器操作システムは、上記の実施形態のように、空気調和機の室内機の操作のために採用され得るが、本発明はこれに限定されるものではない。さらに、本発明は、複数の機器の操作に関するシステムであれば、あらゆる分野において採用され得る。例えば、家電機器の操作にも本発明は採用され得る。
【図面の簡単な説明】
【００６７】
【図１】本発明の第１実施形態に係わる機器操作システムの構成図。
【図２】図１の室内機の構成を示すブロック図。
【図３】図１の空調システム監視制御用コントローラの構成を示すブロック図。
【図４】図１の携帯電話の構成を示すブロック図。
【図５】本発明の第１実施形態に係わる全体室内機情報のダウンロード方法の手順を示すフローチャート。
【図６】図１の携帯電話の表示部の表示例を示す図。
【図７】図１の携帯電話の表示部の表示例を示す図。
【図８】本発明の第２実施形態に係わる機器操作システムの構成図。
【図９】図８の空調システム監視制御用コントローラの構成を示すブロック図。
【図１０】図８の携帯電話の構成を示すブロック図。
【図１１】本発明の第２実施形態に係わる選択室内機情報のダウンロード方法の手順を示すフローチャート。
【図１２】図８の携帯電話の表示部の特定選択情報入力リストに関する表示例を示す図。
【図１３】図８の携帯電話の表示部の表示例を示す図。
【符号の説明】
【００６８】
１、３０  機器操作システム
２  室内機
３、３１  空調システム監視制御用コントローラ（コントローラ）
４、３２  携帯電話
９  全体室内機情報データベース
１８、３４  記憶部
１９  室内機情報削除部
３３  選択室内機情報生成部
【図１】
2006345370.tif 000003
【図２】
2006345370.tif 000004
【図３】
2006345370.tif 000005
【図４】
2006345370.tif 000006
【図５】
2006345370.tif 000007
【図６】
2006345370.tif 000008
【図７】
2006345370.tif 000009
【図８】
2006345370.tif 000010
【図９】
2006345370.tif 000011
【図１０】
2006345370.tif 000012
【図１１】
2006345370.tif 000013
【図１２】
2006345370.tif 000014
【図１３】
2006345370.tif 000015